【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
複数のゲートライン及びデータラインによって画定された複数の画素部と、タッチ（ｔｏｕｃｈ）位置を感知するための第１信号ライン及び第２信号ラインとが形成されたアレイ基板と前記タッチ位置にて電気的に接触しタッチ位置の位置座標を検出するタッチスクリーン機能を有する表示パネルの表示装置において、
前記表示装置は、前記ベース基板と、
前記ベース基板上に第１長さで直接形成され前記アレイ基板との離隔距離を一定に保持する支持パターンと、
前記ベース基板上に第２長さで直接形成され前記タッチ位置で前記第１信号ライン及び第２信号ラインとそれぞれ電気的に接触する第１突起パターン及び第２突起パターンとを有することを特徴とする表示装置。
【請求項２】
前記第１長さは、前記第２長さより長いことを特徴とする請求項１に記載の表示装置。
【請求項３】
前記第１突起パターン及び第２突起パターンには導電性膜が形成されることを特徴とする請求項２に記載の表示装置。
【請求項４】
前記第１突起パターン及び第２突起パターンは、互いに所定間隔に離隔して形成されることを特徴とする請求項３に記載の表示装置。
【請求項５】
前記第１突起パターン及び第２突起パターンは、互いに隣接して形成されることを特徴とする請求項３に記載の表示装置。
【請求項６】
前記ベース基板上に形成されベース基板に前記複数の画素部に対応する領域を画定する遮光層をさらに有し、
前記支持パターンと、第１突起パターン及び第２突起パターンとは前記遮光層上に形成されることを特徴とする請求項３に記載の表示装置。
【請求項７】
前記第１突起パターン及び第２突起パターンには導電性膜が形成されることを特徴とする請求項１に記載の表示装置。
【請求項８】
前記ベース基板上に形成されベース基板に前記複数の画素部に相当する区域を画定する遮光層をさらに含み、
前記支持パターンと、第１突起パターン及び第２突起パターンとは前記遮光層上に形成されることを特徴とする請求項７に記載の表示装置。
【請求項９】
前記支持パターンと、前記第１突起パターン及び第２突起パターンは、単一露光工程で形成されることを特徴とする請求項１に記載の表示装置。
【請求項１０】
タッチ位置の位置座標を検出するタッチスクリーン機能を有し、前記タッチ位置で対向基板と電気的に接触する表示パネルの表示装置において、
第１方向に延長された複数のゲートライン及び第２方向に延長された複数のデータラインによって画定される複数の画素部と、
前記複数の画素部に形成されるスイッチング素子と、
第１方向に延長される複数の第１信号ラインと、
前記第２方向に延長される複数の第２信号ラインと、
前記スイッチング素子上に第１長さを有して形成される支持パターンと、
前記第１信号ライン及び第２信号ライン上にそれぞれ前記第１長さより短い第２長さを有して形成される第１突起パターン及び第２突起パターンと、
前記第１及び第２突起パターンにそれぞれ形成され前記第１信号ライン及び第２信号ラインと電気的に接触する第１センシング電極及び第２センシング電極とを有することを特徴とする表示装置。
【手続補正２】
【補正対象書類名】明細書
【補正対象項目名】発明の名称
【補正方法】変更
【補正の内容】
【発明の名称】表示装置
【手続補正３】
【補正対象書類名】明細書
【補正対象項目名】０００１
【補正方法】変更
【補正の内容】
【０００１】
本発明は、表示装置に関し、より詳細には、製造工程を単純化して原価節減及び製造便宜性を図ったタッチスクリーン機能を有する表示装置に関する。
【手続補正４】
【補正対象書類名】明細書
【補正対象項目名】００１５
【補正方法】変更
【補正の内容】
【００１５】
そこで、本発明は上記従来のタッチスクリーン機能を有する液晶表示パネルにおける問題点に鑑みてなされたものであって、本発明の目的は、製造工程を単純化して原価節減及び製造便宜性を図ったタッチスクリーン機能を有する表示装置を提供することにある。
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
上記目的を達成するためになされた本発明による表示装置は、複数のゲートライン及びデータラインによって画定された複数の画素部と、タッチ（ｔｏｕｃｈ）位置を感知するための第１信号ライン及び第２信号ラインとが形成されたアレイ基板と前記タッチ位置にて電気的に接触しタッチ位置の位置座標を検出するタッチスクリーン機能を有する表示パネルの表示基板において、前記表示基板は、前記ベース基板と、前記ベース基板上に第１長さで直接形成され前記アレイ基板との離隔距離を一定に保持する支持パターンと、前記ベース基板上に第２長さで直接形成され前記タッチ位置で前記第１信号ライン及び第２信号ラインとそれぞれ電気的に接触する第１突起パターン及び第２突起パターンとを有することを特徴とする。
【手続補正７】
【補正対象書類名】明細書
【補正対象項目名】００１８
【補正方法】変更
【補正の内容】
【００１８】
前記第１長さは、前記第２長さより長いことが好ましい。
【手続補正８】
【補正対象書類名】明細書
【補正対象項目名】００１９
【補正方法】変更
【補正の内容】
【００１９】
前記第１突起パターン及び第２突起パターンには導電性膜が形成されることが好ましい。
【手続補正９】
【補正対象書類名】明細書
【補正対象項目名】００２０
【補正方法】変更
【補正の内容】
【００２０】
前記第１突起パターン及び第２突起パターンは、互いに所定間隔に離隔して形成されることが好ましい。
【手続補正１０】
【補正対象書類名】明細書
【補正対象項目名】００２１
【補正方法】変更
【補正の内容】
【００２１】
前記第１突起パターン及び第２突起パターンは、互いに隣接して形成されることが好ましい。
【手続補正１１】
【補正対象書類名】明細書
【補正対象項目名】００２２
【補正方法】変更
【補正の内容】
【００２２】
前記ベース基板上に形成されベース基板に前記複数の画素部に対応する領域を画定する遮光層をさらに有し、前記支持パターンと、第１突起パターン及び第２突起パターンとは前記遮光層上に形成されることが好ましい。
【手続補正１２】
【補正対象書類名】明細書
【補正対象項目名】００２３
【補正方法】変更
【補正の内容】
【００２３】
前記第１突起パターン及び第２突起パターンには導電性膜が形成されることが好ましい。
【手続補正１３】
【補正対象書類名】明細書
【補正対象項目名】００２４
【補正方法】変更
【補正の内容】
【００２４】
前記ベース基板上に形成されベース基板に前記複数の画素部に相当する区域を画定する遮光層をさらに含み、前記支持パターンと、第１突起パターン及び第２突起パターンとは前記遮光層上に形成されることが好ましい。
【手続補正１４】
【補正対象書類名】明細書
【補正対象項目名】００２５
【補正方法】変更
【補正の内容】
【００２５】
前記支持パターンと、前記第１突起パターン及び第２突起パターンは、単一露光工程で形成されることが好ましい。
【手続補正１５】
【補正対象書類名】明細書
【補正対象項目名】００２６
【補正方法】変更
【補正の内容】
【００２６】
また、上記目的を達成するためになされた本発明による表示装置は、タッチ位置の位置座標を検出するタッチスクリーン機能を有し、前記タッチ位置で対向基板と電気的に接触する表示パネルの表示装置において、第１方向に延長された複数のゲートライン及び第２方向に延長された複数のデータラインによって画定される複数の画素部と、前記複数の画素部に形成されるスイッチング素子と、第１方向に延長される複数の第１信号ラインと、前記第２方向に延長される複数の第２信号ラインと、前記スイッチング素子上に第１長さを有して形成される支持パターンと、前記第１信号ライン及び第２信号ライン上にそれぞれ前記第１長さより短い第２長さを有して形成される第１突起パターン及び第２突起パターンと、前記第１及び第２突起パターンにそれぞれ形成され前記第１信号ライン及び第２信号ラインと電気的に接触する第１センシング電極及び第２センシング電極とを有することを特徴とする。
【手続補正１６】
【補正対象書類名】明細書
【補正対象項目名】００２７
【補正方法】変更
【補正の内容】
【００２７】
本発明に係る表示装置によれば、タッチ位置を感知するための第１及び第２信号ラインが形成されたアレイ基板と電気的に接触しタッチ位置の位置座標を判断するタッチスクリーン機能を有する表示パネルの対向基板において、第１及び第２信号配線と電気的に接触してタッチ位置の位置座標を感知する突起パターンをアレイ基板と対向基板の離隔間隔を保持する支持部材と一つの工程を通じて同時に形成することができ、表示基板の製造工程を減少させることができるという効果がある。
また、それにより、表示パネルの製造工程を単純化し製造便宜性を向上することができ、製造原価を節減することができるという効果がある。
【手続補正１７】
【補正対象書類名】明細書
【補正対象項目名】００２８
【補正方法】変更
【補正の内容】
【００２８】
次に、本発明に係る表示装置を実施するための最良の形態の具体例を図面を参照しながら説明する。